【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
事象処理方法であって：
第１のネットワークノードの事象処理要求を受信するステップと；
前記第１のネットワークノードが判定した第１の事象情報を受信するステップと；
受信した前記第１の事象情報に従って、入手すべき第２の事象情報の種類を判定するステップと；
前記第２の事象情報の種類を含む第１の情報を第２のネットワークノードへ送信するステップと；
前記第２のネットワークノードが返送し、前記第２の事象情報の内容を含む第２の情報を受信するステップと；
受信した前記第１の事象情報と、受信した前記第２の情報に含まれる前記第２の事象情報の内容とに基づいて、前記事象処理要求の事象を処理するステップと；を備える、
事象処理方法。
【請求項２】
前記第２の事象情報の種類を含む第１の情報を第２のネットワークノードへ送信する前記ステップの前に、前記方法は：
前記第１のネットワークノードの前記事象処理要求に従って、前記第１のネットワークノードに関連付けられた第２のネットワークノードを判定するステップをさらに備える、
請求項１に記載の事象処理方法。
【請求項３】
前記第１のネットワークノードに関連付けられた第２のネットワークノードを判定する前記ステップは：
同一のネットワーク相互作用プラットフォーム上にて、前記第１のネットワークノードと友人であると関連付けられた第２のネットワークノードを判定するステップ；又は、
インスタントメッセージアプリケーション上にて、前記第１のネットワークノードと同じ通信グループに属している第２のネットワークノードを判定するステップ；又は、
インスタントメッセージアプリケーション上にて、前記第１のネットワークノードと友人であると関連付けられた第２のネットワークノードを判定するステップ；を備える、
請求項２に記載の事象処理方法。
【請求項４】
前記事象処理要求の事象を処理する前記ステップの前に、前記方法は：
前記第１のネットワークノードに関連付けられた前記第２のネットワークノードに対応するアドレス情報を入手するステップをさらに備え、
前記事象処理要求の事象を処理する前記ステップは：
判定した前記第１の事象情報と、受信した前記第２の情報に含まれる前記第２の事象情報の内容と、入手した前記アドレス情報とに基づいて、前記事象処理要求の事象を処理するステップを備える、
請求項２に記載の事象処理方法。
【請求項５】
事象処理方法であって：
第１のネットワークノードの事象処理要求を受信するステップと；
前記第１のネットワークノードが判定した第１の事象情報を受信するステップと；
前記第１のネットワークノードが判定した、入手すべき第２の事象情報の種類を受信するステップと；
前記第２の事象情報の種類を含む第１の情報を第２のネットワークノードへ送信するステップと；
前記第２のネットワークノードが返送し、前記第２の事象情報の内容を含む第２の情報を受信するステップと；
受信した前記第１の事象情報と、受信した前記第２の情報に含まれる前記第２の事象情報の内容とに基づいて、前記事象処理要求の事象を処理するステップと；を備える、
事象処理方法。
【請求項６】
前記第２の事象情報の種類を含む第１の情報を第２のネットワークノードへ送信する前記ステップの前に、前記方法は：
前記第１のネットワークノードの前記事象処理要求に従って、前記第１のネットワークノードに関連付けられた第２のネットワークノードを判定するステップをさらに備える、
請求項５に記載の事象処理方法。
【請求項７】
前記第１のネットワークノードに関連付けられた第２のネットワークノードを判定する前記ステップは：
同一のネットワーク相互作用プラットフォーム上にて、前記第１のネットワークノードと友人であると関連付けられた第２のネットワークノードを判定するステップ；又は、
インスタントメッセージアプリケーション上にて、前記第１のネットワークノードと同じ通信グループに属している第２のネットワークノードを判定するステップ；又は、
インスタントメッセージアプリケーション上にて、前記第１のネットワークノードと友人であると関連付けられた第２のネットワークノードを判定するステップ；を備える、
請求項６に記載の事象処理方法。
【請求項８】
前記事象処理要求の事象を処理する前記ステップの前に、前記方法は：
前記第１のネットワークノードに関連付けられた前記第２のネットワークノードに対応するアドレス情報を入手するステップをさらに備え、
前記事象処理要求の事象を処理する前記ステップは：
判定した前記第１の事象情報と、受信した前記第２の情報に含まれる前記第２の事象情報の内容と、入手した前記アドレス情報とに基づいて、前記事象処理要求の事象を処理するステップを備える、
請求項６に記載の事象処理方法。
【請求項９】
事象処理方法であって：
第１のネットワークノードの事象処理要求を受信するステップと；
受信した前記事象処理要求に従って、入手すべき第１の事象情報の種類と、入手すべき第２の事象情報の種類とを判定するステップと；
前記第１の事象情報の種類を含む第１の情報を前記第１のネットワークノードへ送信するステップと；
前記第２の事象情報の種類を含む第２の情報を第２のネットワークノードへ送信するステップと；
前記第１のネットワークノードが返送し、前記第１の事象情報の内容を含む第３の情報を受信するステップと；
前記第２のネットワークノードが返送し、前記第２の事象情報の内容を含む第４の情報を受信するステップと；
受信した前記第３の情報に含まれる前記第１の事象情報の内容と、受信した前記第４の情報に含まれる前記第２の事象情報の内容とに基づいて、前記事象処理要求の事象を処理するステップと；を備える、
事象処理方法。
【請求項１０】
前記第２の事象情報の種類を含む第２の情報を第２のネットワークノードへ送信する前記ステップの前に、前記方法は：
前記第１のネットワークノードの前記事象処理要求に従って、前記第１のネットワークノードに関連付けられた第２のネットワークノードを判定するステップをさらに備える、
請求項９に記載の事象処理方法。
【請求項１１】
前記第１のネットワークノードに関連付けられた第２のネットワークノードを判定する前記ステップは：
同一のネットワーク相互作用プラットフォーム上にて、前記第１のネットワークノードと友人であると関連付けられた第２のネットワークノードを判定するステップ；又は、
インスタントメッセージアプリケーション上にて、前記第１のネットワークノードと同じ通信グループに属している第２のネットワークノードを判定するステップ；又は、
インスタントメッセージアプリケーション上にて、前記第１のネットワークノードと友人であると関連付けられた第２のネットワークノードを判定するステップ；を備える、
請求項１０に記載の事象処理方法。
【請求項１２】
前記事象処理要求の事象を処理する前記ステップの前に、前記方法は：
前記第１のネットワークノードに関連付けられた前記第２のネットワークノードに対応するアドレス情報を入手するステップをさらに備え、
前記事象処理要求の事象を処理する前記ステップは：
受信した前記第３の情報に含まれる前記第１の事象情報の内容と、受信した前記第４の情報に含まれる前記第２の事象情報の内容と、入手した前記アドレス情報とに基づいて、前記事象処理要求の事象を処理するステップを備える、
請求項１０に記載の事象処理方法。
【請求項１３】
事象処理方法であって：
第１のネットワークノードの事象処理要求を受信するステップと；
前記事象処理要求に従って、前記第１のネットワークノードに関連付けられた第２のネットワークノードを判定するステップと；
前記第１のネットワークノードが判定した事象情報を受信するステップと；
前記第２のネットワークノードに対応するアドレス情報を入手するステップと；
受信した前記事象情報と、前記第２のネットワークノードに対応する、入手した前記アドレス情報とに基づいて、前記事象処理要求の事象を処理するステップと；を備える、
事象処理方法。
【請求項１４】
事象処理装置であって：
第１のネットワークノードの事象処理要求を受信するように構成された第１の受信モジュールと；
前記第１のネットワークノードが判定した第１の事象情報を受信するように構成された第２の受信モジュールと；
受信した前記第１の事象情報に従って、入手すべき第２の事象情報の種類を判定するように構成された第１の判定モジュールと；
前記第２の事象情報の種類を含む第１の情報を第２のネットワークノードへ送信するように構成された送信モジュールと；
前記第２のネットワークノードが返送し、前記第２の事象情報の内容を含む第２の情報を受信するように構成された第３の受信モジュールと；
受信した前記第１の事象情報と、受信した前記第２の情報に含まれる前記第２の事象情報の内容とに基づいて、前記事象処理要求の事象を処理するように構成された処理モジュールと；を備える、
事象処理装置。
【請求項１５】
前記装置が：
前記第１のネットワークノードの前記事象処理要求に従って、前記第１のネットワークノードに関連付けられた第２のネットワークノードを判定するように構成された第２の判定モジュールをさらに備える、
請求項１４に記載の事象処理装置。
【請求項１６】
前記第２判定モジュールは：
同一のネットワーク相互作用プラットフォーム上にて、前記第１のネットワークノードと友人であると関連付けられた第２のネットワークノードを判定するように；又は、
インスタントメッセージアプリケーション上にて、前記第１のネットワークノードと同じ通信グループに属している第２のネットワークノードを判定するように；又は、
インスタントメッセージアプリケーション上にて、前記第１のネットワークノードと友人であると関連付けられた第２のネットワークノードを判定するように構成された、
請求項１５に記載の事象処理装置。
【請求項１７】
前記装置は、前記第１のネットワークノードに関連付けられた前記第２のネットワークノードに対応するアドレス情報を入手するように構成された入手モジュールをさらに備え、
前記処理モジュールは、判定した前記第１の事象情報と、受信した前記第２の情報に含まれる前記第２の事象情報の内容と、入手した前記アドレス情報とに基づいて、前記事象処理要求の事象を処理するように構成された、
請求項１５に記載の事象処理装置。
【請求項１８】
事象処理装置であって：
第１のネットワークノードの事象処理要求を受信するように構成された第１の受信モジュールと；
前記第１のネットワークノードが判定した第１の事象情報を受信するように構成された第２の受信モジュールと；
前記第１のネットワークノードが判定した、入手すべき第２の事象情報の種類を受信するように構成された第３の受信モジュールと；
前記第２の事象情報の種類を含む第１の情報を第２のネットワークノードへ送信するように構成された送信モジュールと；
前記第２のネットワークノードが返送し、前記第２の事象情報の内容を含む第２の情報を受信するように構成された第４の受信モジュールと；
受信した前記第１の事象情報と、受信した前記第２の情報に含まれる前記第２の事象情報の内容とに基づいて、前記事象処理要求の事象を処理するように構成された処理モジュールと；を備える、
事象処理装置。
【請求項１９】
前記装置は、前記第１のネットワークノードの前記事象処理要求に従って、前記第１のネットワークノードに関連付けられた第２のネットワークノードを判定するように構成された第２の判定モジュールをさらに備える、
請求項１８に記載の事象処理装置。
【請求項２０】
前記第２判定モジュールは：
同一のネットワーク相互作用プラットフォーム上にて、前記第１のネットワークノードと友人であると関連付けられた第２のネットワークノードを判定するように；又は、
インスタントメッセージアプリケーション上にて、前記第１のネットワークノードと同じ通信グループに属している第２のネットワークノードを判定するように；又は、
インスタントメッセージアプリケーション上にて、前記第１のネットワークノードと友人であると関連付けられた第２のネットワークノードを判定するように；構成された、
請求項１９に記載の事象処理装置。
【請求項２１】
前記装置は、前記第１のネットワークノードに関連付けられた前記第２のネットワークノードに対応するアドレス情報を入手するように構成された入手モジュールをさらに備え、
前記処理モジュールは、判定した前記第１の事象情報と、受信した前記第２の情報に含まれる前記第２の事象情報の内容と、入手した前記アドレス情報とに基づいて、前記事象処理要求の事象を処理するように構成された、
請求項１９に記載の事象処理装置。
【請求項２２】
事象処理装置であって：
第１のネットワークノードの事象処理要求を受信するように構成された第１の受信モジュールと；
受信した前記事象処理要求に従って、入手すべき第１の事象情報の種類と、入手すべき第２の事象情報の種類とを判定するように構成された第１の判定モジュールと；
前記第１の事象情報の種類を含む第１の情報を前記第１のネットワークノードへ送信するように構成された第１の送信モジュールと；
前記第２の事象情報の種類を含む第２の情報を第２のネットワークノードへ送信するように構成された第２の送信モジュールと；
前記第１のネットワークノードが返送し、前記第１の事象情報の内容を含む第３の情報を受信するように構成された第２の受信モジュールと；
前記第２のネットワークノードが返送し、前記第２の事象情報の内容を含む第４の情報を受信するように構成された第３の受信モジュールと；
受信した前記第３の情報に含まれる前記第１の事象情報の内容と、受信した前記第４の情報に含まれる前記第２の事象情報の内容とに基づいて、前記事象処理要求の事象を処理するように構成された処理モジュールと；を備える、
事象処理装置。
【請求項２３】
前記装置は、前記第１のネットワークノードの前記事象処理要求に従って、前記第１のネットワークノードに関連付けられた第２のネットワークノードを判定するように構成された第２の判定モジュールをさらに備える、
請求項２２に記載の事象処理装置。
【請求項２４】
前記第２判定モジュールは：
同一のネットワーク相互作用プラットフォーム上にて、前記第１のネットワークノードと友人であると関連付けられた第２のネットワークノードを判定するように；又は、
インスタントメッセージアプリケーション上にて、前記第１のネットワークノードと同じ通信グループに属している第２のネットワークノードを判定するように；又は、
インスタントメッセージアプリケーション上にて、前記第１のネットワークノードと友人であると関連付けられた第２のネットワークノードを判定するように構成された、
請求項２３に記載の事象処理装置。
【請求項２５】
前記装置は、前記第１のネットワークノードに関連付けられた前記第２のネットワークノードに対応するアドレス情報を入手するように構成された入手モジュールをさらに備え、
前記処理モジュールは、受信した前記第３の情報に含まれる前記第１の事象情報の内容と、受信した前記第４の情報に含まれる前記第２の事象情報の内容と、入手した前記アドレス情報とに基づいて、前記事象処理要求の事象を処理するように構成された、
請求項２３に記載の事象処理装置。
【請求項２６】
事象処理装置であって：
第１のネットワークノードの事象処理要求を受信するように構成された第１の受信モジュールと；
前記事象処理要求に従って、前記第１のネットワークノードに関連付けられた第２のネットワークノードを判定するように構成された判定モジュールと；
前記第１のネットワークノードが判定した事象情報を受信するように構成された第２の受信モジュールと；
前記第２のネットワークノードに対応するアドレス情報を入手するように構成された入手モジュールと；
受信した前記事象情報と、前記第２のネットワークノードに対応する、入手した前記アドレス情報とに基づいて、前記事象処理要求の事象を処理するように構成された処理モジュールと；を備える、
事象処理装置。
【手続補正２】
【補正対象書類名】明細書
【補正対象項目名】００８１
【補正方法】変更
【補正の内容】
【００８１】
上記は、本願を限定することを意図するものではなく、本願の実施の形態に過ぎない。当業者であれば、本願は様々な変更および改変を行うことができる。本願の精神及び原理の範囲内でなされた任意の修正、均等物との置き換え、改良などは、本願の特許請求の範囲に含まれるべきである。
［第１の局面］
事象処理方法であって：
第１のネットワークノードの事象処理要求を受信するステップと；
前記第１のネットワークノードが判定した第１の事象情報を受信するステップと；
受信した前記第１の事象情報に従って、入手すべき第２の事象情報の種類を判定するステップと；
前記第２の事象情報の種類を含む第１の情報を第２のネットワークノードへ送信するステップと；
前記第２のネットワークノードが返信し、前記第２の事象情報の内容を含む第２の情報を受信するステップと；
受信した前記第１の事象情報と、受信した前記第２の情報に含まれる前記第２の事象情報の内容とに基づいて、前記事象処理要求の事象を処理するステップと；を備える、
事象処理方法。
［第２の局面］
前記第２の事象情報の種類を含む前記第１の情報を第２のネットワークノードへ送信する前記ステップの前に、前記方法は：
前記第１のネットワークノードの前記事象処理要求に従い、前記第１のネットワークノードに関連付けられた第２のネットワークノードを判定するステップをさらに備える、
第１の局面に記載の方法。
［第３の局面］
前記第１のネットワークノードに関連付けられた第２のネットワークノードを判定する前記ステップは：
同一のネットワーク相互作用プラットフォーム上にて、前記第１のネットワークノードの友人であると関連付けられた第２のネットワークノードを判定するステップ；又は、
インスタントメッセージアプリケーション上にて、前記第１のネットワークノードと同じ通信グループに属している第２のネットワークノードを判定するステップ；又は、
インスタントメッセージアプリケーション上にて、前記第１のネットワークノードの友人であると関連付けられた第２のネットワークノードを判定するステップ；を備える、
第２の局面に記載の方法。
［第４の局面］
前記事象処理要求の事象を処理する前記ステップの前に、前記方法は：
前記第１のネットワークノードに関連付けられた前記第２のネットワークノードに対応するアドレス情報を入手するステップをさらに備え、
前記事象処理要求の事象を処理する前記ステップは：
判定した前記第１の事象情報と、受信した前記第２の情報に含まれる前記第２の事象情報の内容と、入手した前記アドレス情報とに基づいて、前記事象処理要求の前記事象を処理するステップを備える、
第２の局面に記載の方法。
［第５の局面］
事象処理方法であって：
第１のネットワークノードの事象処理要求を受信するステップと；
前記第１のネットワークノードが判定した第１の事象情報を受信するステップと；
前記第１のネットワークノードが判定した、入手すべき第２の事象情報の種類を受信するステップと；
前記第２の事象情報の種類を含む第１の情報を第２のネットワークノードへ送信するステップと；
前記第２のネットワークノードが返信し、前記第２の事象情報の内容を含む第２の情報を受信するステップと；
受信した前記第１の事象情報と、受信した前記第２の情報に含まれる前記第２の事象情報の内容とに基づいて、前記事象処理要求の事象を処理するステップと；を備える、
事象処理方法。
［第６の局面］
前記第２の事象情報の種類を含む第１の情報を第２のネットワークノードへ送信する前記ステップの前に、前記方法は：
前記第１のネットワークノードの前記事象処理要求に従い、前記第１のネットワークノードに関連付けられた第２のネットワークノードを判定するステップをさらに備える、
第５の局面に記載の方法。
［第７の局面］
前記第１のネットワークノードに関連付けられた第２のネットワークノードを判定する前記ステップは：
同一のネットワーク相互作用プラットフォーム上にて、前記第１のネットワークノードの友人であると関連付けられた第２のネットワークノードを判定するステップ；又は、
インスタントメッセージアプリケーション上にて、前記第１のネットワークノードと同じ通信グループに属している第２のネットワークノードを判定するステップ；又は、
インスタントメッセージアプリケーション上にて、前記第１のネットワークノードの友人であると関連付けられた第２のネットワークノードを判定するステップ；を備える、
第６の局面に記載の方法。
［第８の局面］
前記事象処理要求の事象を処理する前記ステップの前に、前記方法は：
前記第１のネットワークノードに関連付けられた前記第２のネットワークノードに対応するアドレス情報を入手するステップをさらに備え、
前記事象処理要求の事象を処理する前記ステップは：
判定した前記第１の事象情報と、受信した前記第２の情報に含まれる前記第２の事象情報の内容と、入手した前記アドレス情報とに基づいて、前記事象処理要求の前記事象を処理するステップを備える、
第６の局面に記載の方法。
［第９の局面］
事象処理方法であって：
第１のネットワークノードの事象処理要求を受信するステップと；
受信した前記事象処理要求に従って、入手すべき第１の事象情報の種類と、入手すべき第２の事象情報の種類とを判定するステップと；
前記第１の事象情報の種類を含む第１の情報を前記第１のネットワークノードへ送信するステップと；
前記第２の事象情報の種類を含む第２の情報を第２のネットワークノードへ送信するステップと；
前記第１のネットワークノードが返信し、前記第１の事象情報の内容を含む第３の情報を受信するステップと；
前記第２のネットワークノードが返信し、前記第２の事象情報の内容を含む第４の情報を受信するステップと；
受信した前記第３の情報に含まれる前記第１の事象情報の内容と、受信した前記第４の情報に含まれる前記第２の事象情報の内容とに基づいて、前記事象処理要求の事象を処理するステップと；を備える、
事象処理方法。
［第１０の局面］
前記第２の事象情報の種類を含む第２の情報を第２のネットワークノードへ送信する前記ステップの前に、前記方法は：
前記第１のネットワークノードの前記事象処理要求に従い、前記第１のネットワークノードに関連付けられた第２のネットワークノードを判定するステップをさらに備える、
第９の局面に記載の方法。
［第１１の局面］
前記第１のネットワークノードに関連付けられた第２のネットワークノードを判定する前記ステップは：
同一のネットワーク相互作用プラットフォーム上にて、前記第１のネットワークノードの友人であると関連付けられた第２のネットワークノードを判定するステップ；又は、
インスタントメッセージアプリケーション上にて、前記第１のネットワークノードと同じ通信グループに属している第２のネットワークノードを判定するステップ；又は、
インスタントメッセージアプリケーション上にて、前記第１のネットワークノードの友人であると関連付けられた第２のネットワークノードを判定するステップ；を備える、
第１０の局面に記載の方法。
［第１２の局面］
前記事象処理要求の事象を処理する前記ステップの前に、前記方法は：
前記第１のネットワークノードに関連付けられた前記第２のネットワークノードに対応するアドレス情報を入手するステップをさらに備え、
前記事象処理要求の事象を処理する前記ステップは：
受信した前記第３の情報に含まれる前記第１の事象情報の内容と、受信した前記第４の情報に含まれる前記第２の事象情報の内容と、入手した前記アドレス情報とに基づいて、前記事象処理要求の前記事象を処理するステップを備える、
第１０の局面に記載の方法。
［第１３の局面］
事象処理方法であって：
第１のネットワークノードの事象処理要求を受信するステップと；
前記事象処理要求に従って、前記第１のネットワークノードに関連づけられた第２のネットワークノードを判定するステップと；
前記第１のネットワークノードが判定した事象情報を受信するステップと；
前記第２のネットワークノードに対応するアドレス情報を入手するステップと；
受信した前記事象情報と、前記第２のネットワークノードに対応する入手した前記アドレス情報とに基づいて、前記事象処理要求の事象を処理するステップと；を備える、
事象処理方法。
［第１４の局面］
事象処理装置であって：
第１のネットワークノードの事象処理要求を受信するように構成された第１の受信モジュールと；
前記第１のネットワークノードが判定した第１の事象情報を受信するように構成された第２の受信モジュールと；
受信した前記第１の事象情報に従って、入手すべき第２の事象情報の種類を判定するように構成された第１の判定モジュールと；
前記第２の事象情報の種類を含む第１の情報を第２のネットワークノードへ送信するように構成された送信モジュールと；
前記第２のネットワークノードが返送し、前記第２の事象情報の内容を含む第２の情報を受信するように構成された第３の受信モジュールと；
受信した前記第１の事象情報と、受信した前記第２の情報に含まれる前記第２の事象情報の内容とに基づいて、前記事象処理要求の事象を処理するように構成された処理モジュールと；を備える、
事象処理装置。
［第１５の局面］
前記装置が：
前記第１のネットワークノードの前記事象処理要求に従って、前記第１のネットワークノードに関連付けられた第２のネットワークノードを判定するように構成された第２の判定モジュールをさらに備える、
第１４の局面に記載の装置。
［第１６の局面］
前記第２判定モジュールは：
同一のネットワーク相互作用プラットフォーム上にて、前記第１のネットワークノードと友人であると関連付けられた第２のネットワークノードを判定するように；又は、
インスタントメッセージアプリケーション上にて、前記第１のネットワークノードと同じ通信グループに属している第２のネットワークノードを判定するように；又は、
インスタントメッセージアプリケーション上にて、前記第１のネットワークノードの友人であると関連付けられた第２のネットワークノードを判定するように構成された、
第１５の局面に記載の装置。
［第１７の局面］
前記装置は、前記第１のネットワークノードに関連付けられた前記第２のネットワークノードに対応するアドレス情報を入手するように構成された入手モジュールをさらに備え、
前記処理モジュールは、判定された前記第１の事象情報と、受信した前記第２の情報に含まれる前記第２の事象情報の内容と、入手した前記アドレス情報とに基づき、前記事象処理要求の事象を処理するように構成された、
第１５の局面に記載の装置。
［第１８の局面］
事象処理装置であって：
第１のネットワークノードの事象処理要求を受信するように構成された第１の受信モジュールと；
前記第１のネットワークノードが判定した第１の事象情報を受信するように構成された第２の受信モジュールと；
前記第１のネットワークノードが判定した、入手すべき第２の事象情報の種類を受信するように構成された第３の受信モジュールと；
前記第２の事象情報の種類を含む第１の情報を第２のネットワークノードへ送信するように構成された送信モジュールと；
前記第２のネットワークノードが返送し、前記第２の事象情報の内容を含む第２の情報を受信するように構成された第４の受信モジュールと；
受信した前記第１の事象情報と、受信した前記第２の情報に含まれる前記第２の事象情報の内容とに基づいて、前記事象処理要求の事象を処理するように構成された処理モジュールと；備える、
事象処理装置。
［第１９の局面］
前記装置は、前記第１のネットワークノードの前記事象処理要求に従って、前記第１のネットワークノードに関連付けられた第２のネットワークノードを判定するように構成された第２の判定モジュールをさらに備える、
第１８の局面に記載の装置。
［第２０の局面］
前記第２判定モジュールは：
同一のネットワーク相互作用プラットフォーム上にて、前記第１のネットワークノードと友人であると関連付けられた第２のネットワークノードを判定するように；又は、
インスタントメッセージアプリケーション上にて、前記第１のネットワークノードと同じ通信グループに属している第２のネットワークノードを判定するように；又は、
インスタントメッセージアプリケーション上にて、前記第１のネットワークノードの友人であると関連付けられた第２のネットワークノードを判定するように構成された、
第１９の局面に記載の装置。
［第２１の局面］
前記装置は、前記第１のネットワークノードに関連付けられた前記第２のネットワークノードに対応するアドレス情報を入手するように構成された入手モジュールをさらに備え、
前記処理モジュールは、判定された前記第１の事象情報と、受信した前記第２の情報に含まれる前記第２の事象情報の内容と、入手した前記アドレス情報とに基づき、前記事象処理要求の事象を処理するように構成された、
第１９の局面に記載の装置。
［第２２の局面］
事象処理装置であって：
第１のネットワークノードの事象処理要求を受信するように構成された第１の受信モジュールと；
受信した前記事象処理要求に従って、入手すべき第１の事象情報の種類及び入手すべき第２の事象情報の種類を判定するように構成された第１の判定モジュールと；
前記第１の事象情報の種類を含む第１の情報を前記第１のネットワークノードへ送信するように構成された第１の送信モジュールと；
前記第２の事象情報の種類を含む第２の情報を前記第２のネットワークノードへ送信するように構成された第２の送信モジュールと；
前記第１のネットワークノードが返送し、前記第１の事象情報の内容を含む第３の情報を受信するように構成された第２の受信モジュールと；
前記第２のネットワークノードが返送し、前記第２の事象情報の内容を含む第４の情報を受信するように構成された第３の受信モジュールと；
受信した前記第３の情報に含まれる前記第１の事象情報の内容と、受信した前記第４の情報に含まれる前記第２の事象情報の内容とに基づいて、前記事象処理要求の事象を処理するように構成された処理モジュールと；を備える、
事象処理装置。
［第２３の局面］
前記装置は、前記第１のネットワークノードの前記事象処理要求に従って、前記第１のネットワークノードに関連付けられた第２のネットワークノードを判定するように構成された第２の判定モジュールをさらに備える、
第２２の局面に記載の装置。
［第２４の局面］
前記第２判定モジュールは：
同一のネットワーク相互作用プラットフォーム上にて、前記第１のネットワークノードと友人であると関連付けられた第２のネットワークノードを判定するように；又は、
インスタントメッセージアプリケーション上にて、前記第１のネットワークノードと同じ通信グループに属している第２のネットワークノードを判定するように；又は、
インスタントメッセージアプリケーション上にて、前記第１のネットワークノードの友人であると関連付けられた第２のネットワークノードを判定するように構成された、
第２３の局面に記載の装置。
［第２５の局面］
前記装置は、前記第１のネットワークノードに関連付けられた前記第２のネットワークノードに対応するアドレス情報を入手するように構成された入手モジュールをさらに備え、
前記処理モジュールは、受信した前記第３の情報に含まれる前記第１の事象情報の内容と、受信した前記第４の情報に含まれる前記第２の事象情報の内容と、入手した前記アドレス情報とに基づき、前記事象処理要求の事象を処理するように構成された、
第２３の局面に記載の装置。
［第２６の局面］
事象処理装置であって：
第１のネットワークノードの事象処理要求を受信するように構成された第１の受信モジュールと；
受信した前記事象処理要求に従って、前記第１のネットワークノードに関連付けられた第２のネットワークノードを判定するように構成された判定モジュールと；
前記第１のネットワークノードが判定した事象情報を受信するように構成された第２の受信モジュールと；
前記第２のネットワークノードに対応するアドレス情報を入手するように構成された入手モジュールと；
受信した前記事象情報と、前記第２のネットワークノードに対応する、入手した前記アドレス情報とに基づいて、前記事象処理要求の事象を処理するように構成された処理モジュールと；を備える、
事象処理装置。